(57)【要約】【課題】食品等を収納したままの状態でも収納容器の掃除が容易に行える冷蔵庫を提供すること。【解決手段】その裏面に食品等を収納する収納容器１２が設けられた引出し式の断熱扉８を有する冷蔵庫において、上面を開口した箱状を呈した前記収納容器１２の底面を形成する底板１６には多数の穴１７を開設すると共にこの底板１６の下方には支承部１８に着脱自在に嵌め込まれる受け板１９を設ける。この場合、例えば前記底板１６をステンレス製のパンチングメタルで形成する。【選択図】  図３
2004150676.tif 000002
【特許請求の範囲】
【請求項１】
その裏面に食品等を収納する収納容器が設けられた引出し式の断熱扉を有する冷蔵庫において、上面を開口した箱状を呈した前記収納容器の底面には多数の穴を開設すると共にこの底面の下方には支承部に着脱自在に嵌め込まれる受け板を設けたことを特徴とする冷蔵庫。
【請求項２】
前記収納容器の底面をステンレス製のパンチングメタルで形成したことを特徴とする請求項１に記載の冷蔵庫。
【請求項３】
前記収納容器の底面を形成する底板を、この収納容器に着脱自在に設けたことを特徴とする請求項１に記載の冷蔵庫。
【発明の詳細な説明】
【０００１】
【発明の属する技術分野】
本発明は、その裏面に食品等を収納する収納容器が設けられた引出し式の断熱扉を有する冷蔵庫に関するものである。
【０００２】
【従来の技術】
この種の冷蔵庫は、食品等の収納の便宜に供しており、引出し式の断熱扉は整理のし易さと使い勝手の良さから増える傾向にある（例えば、特開平１０−１９７１４１号公報参照）。
【０００３】
【特許文献】
特開平１０−１９７１４１号公報
【０００４】
【発明が解決しようとする課題】
しかし、特に野菜収納容器などにあっては、野菜の屑などが収納容器内に落ちたままであると不衛生であり、掃除をするにも収納容器内の野菜などが邪魔であり、収納容器から野菜を取出した状態で掃除をしなければならず、掃除がし難いという問題があった。
【０００５】
そこで本発明は、食品等を収納したままの状態でも収納容器の掃除が容易に行える冷蔵庫を提供することを目的とする。
【０００６】
【課題を解決するための手段】
このため第１の発明では、その裏面に食品等を収納する収納容器が設けられた引出し式の断熱扉を有する冷蔵庫において、上面を開口した箱状を呈した前記収納容器の底面には多数の穴を開設すると共にこの底面の下方には支承部に着脱自在に嵌め込まれる受け板を設けたことを特徴とする。
【０００７】
また第２の発明は、第１の発明において、前記収納容器の底面をステンレス製のパンチングメタルで形成したことを特徴とする。
【０００８】
さらに第３の発明は、第１の発明において、前記収納容器の底面を形成する底板を、この収納容器に着脱自在に設けたことを特徴とする。
【０００９】
【発明の実施の形態】
以下図１乃至図３に基づいて実施形態について説明する。冷蔵庫１は前面を除く両側面、背面、天井面及び底面を断熱壁として構成される箱状の本体２を有する。この本体２は鋼板からなる外箱と硬質樹脂材料からなる内箱との間に発泡ウレタン等の断熱材を充填して構成されている。
【００１０】
前記本体２の内部はそれぞれ仕切り壁により冷蔵室３、野菜室４及び２つの冷凍室５、６に区画されている。そして、最上部の冷蔵室３の前面開口は開閉可能な回動式の断熱扉７により閉塞可能であり、冷蔵室３の下の野菜室４及び冷凍室５、６の前面開口は引出し式の断熱扉８、９及び１０によりそれぞれ閉塞されている。
【００１１】
断熱扉７、８、９及び１０は、夫々鋼板から成る扉外箱である扉材と硬質合成樹脂材料から成る扉内箱である扉パネルとの間に発泡ウレタン等の断熱材を充填して構成される。そして、前記断熱扉８、９及び１０の裏面、即ち扉パネル内箱１１には食品等を収納するための収納容器１２が取り付けられている。
【００１２】
以下、前記断熱扉８に設けられる野菜を収納するための収納容器１２を例として、図２及び図３に基づき詳述する。収納容器１２の両側部にはそれぞれ金属製の第１のレール１３が設けられると共に、その後端部には第１のローラー（図示せず）が設けられている。また、冷蔵庫本体２の両内側面にはそれぞれ前記第１のローラーを案内する第２のレール（図示せず）が設けられると共に、その前端部には第１のレール１３が案内される第２のローラー（図示せず）が設けられている。そして、前記第２のレールには第１のローラーが回転しながら摺動自在に案内される溝が設けられている。
【００１３】
従って、収納容器１２が取り付けられた断熱扉８を引き出すと、第１のローラーが回転しながら第２のレールの溝に案内され、前方へ移動する。また、第２のローラーが回転しながら第１のレール１３の下面と接触してこれを案内する。このとき、断熱扉８が一杯に引き出されると、第１のレール１３の段部に第２のローラーが係止する構成である。
【００１４】
逆に、断熱扉８を押し込むと、第１のローラーが回転しながら第２のレールに案内されると共に、第２のローラーが回転しながら第１のレール１３が案内され、元の位置に戻る。
【００１５】
そして、前記収納容器１２は耐久性のあるポリプロピレン等の合成樹脂材料で作製されて上面を開口した箱状を呈しており、底面周囲の枠体１５の段差部上には上方から底板１６が嵌め込まれる。この底板１６には多数の穴１７があけられているステンレス製のパンチングメタルが用いられている。また、前記枠体１５の裏面には、前後二列に平行な支承部１８を下方に突設して、受け板１９が前記支承部１８に着脱自在に嵌め込まれる。
【００１６】
そして、断熱扉８を開けて野菜室４に貯蔵されている野菜等を出し入れする際に、野菜の屑片等がこぼれたりすると、これらは収納容器１２の底板１６の多数の穴１７を通って受け板１９上に溜まる。従って、図１に示すように断熱扉８を開けて、収納容器１２を引き出し、支承部１８に沿って受け板１９を右方へ引き出して、この支承部１８から外す。
【００１７】
これにより、底板１６に食品等を載せたまま、受け板１９を収納容器１２から外し、この受け板１９を水洗いするなどして該受け板１９に付いた汚れを除去した後、受け板１９を支承部１８に嵌め込んで元の位置に戻すことができる。
【００１８】
尚、前記受け板１９は周縁部に上向きのフランジを有する皿状のものや、周縁部を除いて上面を凹所とした皿状のものであってもよく、このようにすることにより、底板１６の多数の穴１７を通った野菜屑片等が受け板１９上に溜まり易くなると共に受け板１９を左右方向にずらして支承部１８から外す際に野菜屑片等が受け板１９からこぼれ難くなる。
【００１９】
勿論、底板１６上に野菜等がないときには、ステンレス製のパンチングメタルで作られた底板１６の上面等を布巾で拭き、収納容器１２全体や底板１６を清潔に保つことができる。
【００２０】
尚、底面周囲の枠体１５の段差部上に上方から底板１６が嵌め込まれるが、この段差部上に固定してもよいが着脱自在に載置するように構成すれば、底板１６を枠体１５から外することにより、底板１６を清掃することが容易となる。
【００２１】
以上のように本発明の実施形態によれば、その裏面に食品等を収納する収納容器１２が設けられた引出し式の断熱扉８を有する冷蔵庫において、上面を開口した箱状を呈した前記収納容器１２の底面を形成する底板１６には多数の穴１７を開設すると共にこの底板１６の下方には支承部１８に着脱自在に嵌め込まれる受け板１９を設けたから、野菜の屑片等が多数の穴１７を通って受け板１９上に溜まるので、断熱扉８を開けて収納容器１２を引き出し、支承部１８に沿って受け板１９を右方へ引き出して、この支承部１８から外しこの受け板１９を水洗いするなどして汚れを除去することができる。
【００２２】
また、前記収納容器１２の底板１６をステンレス製のパンチングメタルで形成したから、底板１６を清潔に保つことができる。
【００２３】
更には、前記収納容器１２の底面を形成する底板１６を、この収納容器１２に着脱自在に設けたから、底板１６を枠体１５から外することにより、底板１６を清掃することが容易となる。
【００２４】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００２５】
【発明の効果】
以上のように本発明は、従来収納容器から食品等を取出した状態でなければ掃除をすることができなかったが、食品等を収納したままの状態でも収納容器の掃除が容易に行える。
【図面の簡単な説明】
【図１】断熱扉を開けた状態の冷蔵庫の側面図である。
【図２】断熱扉及び収納容器の側面図である。
【図３】一部断面せる収納容器の斜視図である。
【符号の説明】
１                冷蔵庫
２                本体
８〜１０          断熱扉
１２              収納容器
１６              底板
１７                            穴
１８              支承部
１９              受け板
【図１】
2004150676.tif 000003
【図２】
2004150676.tif 000004
【図３】
2004150676.tif 000005